(57)【要約】【課題】障子の枚数が異なっても、同形状の樹脂製カバーで対応することができる製造性の高い建具を提供すること。【解決手段】建具１ａは、枠体２ａと、枠体２ａの内側に見込方向で位置をずらして配置されるスライド移動可能な外障子４０、中間障子６０ａ及び内障子８０と、室外側に位置する外障子４０の戸先と対向する縦枠１０ａと、閉鎖位置の外障子４０よりも見込方向室内側で縦枠１０ａに固定される樹脂製カバー５０ａ，５０ｂと、を備える。樹脂製カバー５０ａ，５０ｂは、何れも、見込方向室内側に形成される室内側係合突起部（室内側係合部）５０２と、見込方向室外側に室内側係合突起部に係合可能な形状に形成される室外側係合凹部（室外側係合部）５２０と、を有し、見込方向で２つ以上連結可能に構成される。【選択図】図４
2019178545.tif 000002
【特許請求の範囲】
【請求項１】
枠体と、
前記枠体の内側に見込方向で位置をずらして配置されるスライド移動可能な複数の障子と、
前記複数の障子のうち、室外側に位置する外障子の戸先と対向する縦枠と、
閉鎖位置の前記外障子よりも見込方向室内側で前記縦枠に固定される樹脂製カバーと、を備える建具であって、
前記樹脂製カバーは、
見込方向室内側に形成される室内側係合部と、
見込方向室外側に前記室内側係合部に係合可能な形状に形成される室外側係合部と、を有する建具。
【請求項２】
第１の前記樹脂製カバーと第２の前記樹脂製カバーが互いの前記室内側係合部と前記室外側係合部を係合した状態で前記縦枠に取り付けられ、
前記縦枠の見込面には、第１の前記樹脂製カバーの室外側端部が固定される第１固定部と第２の前記樹脂製カバーの室外側端部が固定される第２固定部が見込方向で間隔を空けて形成される請求項１に記載の建具。
【発明の詳細な説明】
【技術分野】
【０００１】
本発明は、スライド移動可能な障子を備える建具に関する。
【背景技術】
【０００２】
従来、断熱性向上等のために、枠体の閉鎖位置の外障子よりも室内側に樹脂製カバーを取り付ける構成の建具が知られている。この種の技術を開示するものとして例えば、特許文献１がある。特許文献１には、縦枠のレール引寄部よりも室内側に取り付けられる樹脂製カバー材が記載されている。
【先行技術文献】
【特許文献】
【０００３】
【特許文献１】特開２０１５−６３８４８号公報
【発明の概要】
【発明が解決しようとする課題】
【０００４】
ところで、スライド移動可能な障子を備える建具は、外障子と内障子の２枚建の場合だけでなく、更に障子を追加した３枚建の場合がある。３枚建の場合、２枚建に比べて見込方向の長さが長くなるため、２枚建用の樹脂製のカバーをそのまま適用できない。そのため、２枚建用と３枚建用と複数種類の樹脂製のカバーを用意する必要があり、製造性の観点から改善の余地があった。
【０００５】
本発明は、障子の枚数が異なっても、同形状の樹脂製カバーで対応することができる製造性の高い建具を提供することを目的とする。
【課題を解決するための手段】
【０００６】
本発明は、枠体（例えば、後述の枠体２，２ａ）と、前記枠体の内側に見込方向で位置をずらして配置されるスライド移動可能な複数の障子（例えば、後述の外障子４０、内障子６０又は外障子４０、中間障子６０ａ、内障子８０）と、前記複数の障子のうち、室外側に位置する外障子（例えば、後述の外障子４０）の戸先と対向する縦枠（例えば、後述の縦枠１０，１０ａ）と、閉鎖位置の前記外障子よりも見込方向室内側で前記縦枠に固定される樹脂製カバー（例えば、後述の樹脂製カバー５０）と、を備える建具（例えば、後述の建具１，１ａ）であって、前記樹脂製カバーは、見込方向室内側に形成される室内側係合部（例えば、後述の室内側係合突起部５０２）と、見込方向室外側に前記室内側係合部に係合可能な形状に形成される室外側係合部（例えば、後述の室外側係合凹部５２０）と、を有する建具に関する。
【０００７】
第１の前記樹脂製カバー（例えば、後述の樹脂製カバー５０ａ）と第２の前記樹脂製カバー（樹脂製カバー５０ｂ）が互いの前記室内側係合部と前記室外側係合部を係合した状態で前記縦枠に取り付けられ、前記縦枠の見込面（例えば、後述の見込面１００）には、第１の前記樹脂製カバーの室外側端部が固定される第１固定部（例えば、後述の第１縦枠側係合部１２１）と第２の前記樹脂製カバーの室外側端部が固定される第２固定部（例えば、後述の第２縦枠側係合部１２２）が見込方向で間隔を空けて形成されることが好ましい。
【発明の効果】
【０００８】
本発明によれば、障子の枚数が異なっても、同形状の樹脂製カバーで対応することができる製造性の高い建具を実現できる。
【図面の簡単な説明】
【０００９】
【図１】本発明の一実施形態に係る２枚建の建具を模式的に示す平面図である。
【図２】本実施形態の２枚建の建具の縦枠に取り付けられた樹脂製カバー及びその周囲を示す拡大横断面図である。
【図３】本発明の一実施形態に係る３枚建の建具を模式的に示す平面図である。
【図４】本実施形態の３枚建の建具の縦枠に取り付けられた樹脂製カバー及びその周囲を示す拡大横断面図である。
【発明を実施するための形態】
【００１０】
以下、本発明の好ましい実施形態について、図面を参照しながら説明する。なお、本明細書において、「見付方向」とは、建物に形成された開口部に納められた建具における障子の面方向を意味し、「見込方向」とは、上記障子の厚み方向を意味する。
【００１１】
図１は、本発明の一実施形態に係る２枚建の建具１を模式的に示す平面図である。図１に示す建具１は、建物の開口部に固定される枠体２と、枠体２の内側にスライド移動可能に取り付けられる外障子４０及び内障子６０と、を備える引違い窓である。
【００１２】
枠体２は、左右それぞれに配置される縦枠１０と、上下それぞれに配置される横枠１１と、を略矩形に枠組みして構成される。縦枠１０及び横枠１１は、アルミの押出し成形品である金属製の枠材である。
【００１３】
外障子４０は室外側で左右方向に移動可能に枠体２に取り付けられており、内障子６０は室内側で左右方向に移動可能に枠体２に取り付けられている。図１では、外障子４０及び内障子６０の両方が閉鎖位置にある状態が示されている。外障子４０又は内障子６０を閉鎖位置から移動させることで、開口部が開放される。
【００１４】
図２は、本実施形態の２枚建の建具１の縦枠１０に取り付けられた樹脂製カバー５０及びその周囲を示す拡大横断面図である。図２に示すように、外障子４０は、面材としての複層ガラス４５の四周を囲う框４１を備える。
【００１５】
框４１は、中空部を有する框本体部４１１と、框本体部４１１とガラス溝４１０を形成する押縁部材４２０と、を備える。框本体部４１１の戸先側には、クッション材４２と、気密材４１５が配置される。
【００１６】
框本体部４１１の室内側には、押縁部材４２０を嵌合する框側嵌合部４１２，４１３が形成されている。押縁部材４２０は、框側嵌合部４１２，４１３にそれぞれ嵌合する押縁側嵌合部４２２，４２３を備える。框側嵌合部４１２，４１３と押縁側嵌合部４２２，４２３がそれぞれ嵌合することで、框４１に押縁部材４２０が固定される。
【００１７】
図２に示す縦枠１０は、アルミ製の金属部材により縦長に形成される。縦枠１０の見込方向の幅は、外障子４０及び内障子６０の２枚建に対応できる幅となっている。
【００１８】
縦枠１０の見込面１００における外障子４０に対向する位置には、見付方向に延びる延出片１１０が形成される。外障子４０が閉鎖位置にある状態で、延出片１１０の先端にクッション材４２が接触するとともに、延出片１１０の室外側の見付面に気密材４１５が当接して縦枠１０と外障子４０の隙間が塞がれる。また、縦枠１０の見込面１００における内障子６０に対向する位置には、内障子６０の縦枠１０への直接衝突を防止する衝突防止部材１５が配置される。
【００１９】
縦枠１０の見込面１００における延出片１１０の室内側には、第１縦枠側係合部１２１と第２縦枠側係合部１２２が見込方向で間隔を空けて形成される。第１縦枠側係合部１２１及び第２縦枠側係合部１２２は、何れも、縦枠１０の見込面１００から突出した後、見込方向室内側に屈曲するＬ字状に形成されている。
【００２０】
縦枠１０の室内側には、断面形状がクランク状に形成されるアングル１６が嵌合固定される。アングル１６は、その室外側が第２縦枠側係合部１２２に係合し、その室内側が縦枠１０の室内側端部に係合する。アングル１６における室外側を向く見付面には樹脂製カバー５０を嵌合するための凹状の嵌合部１６１が形成される。
【００２１】
樹脂製カバー５０は、縦枠１０の見込面１００における延出片１１０よりも室内側であってアングル１６よりも室外側に配置される。樹脂製カバー５０は、縦枠１０に沿って上下方向に延びる縦長の部材である。
【００２２】
樹脂製カバー５０の形状について説明する。本実施形態の樹脂製カバー５０は、室内側で見込面５５０を形成するカバー本体部５００と、カバー本体部５００から縦枠１０側に突出するカバー脚部５３０と、を備える。カバー本体部５００とカバー脚部５３０は、樹脂材料により成形される一体的な部材であり、全体としては平面視で縦枠１０の見込面１００に向かって突出する凸状に形成される。
【００２３】
カバー本体部５００は、見込方向に細長い板状に形成されており、室内側に露出する見込面５５０を有する。カバー本体部５００の内側には、見込方向に並ぶ中空部５１１，５１３が形成される。カバー脚部５３０は、カバー本体部５００の見込面５５０の反対側の面から縦枠１０の見込面１００に向って突出している。カバー脚部５３０の内側にも中空部５１２が形成される。
【００２４】
また、本実施形態のカバー本体部５００には、室外側延出部５０１、室内側係合突起部５０２及び突出片５０５が一体的に形成される。
【００２５】
室外側延出部５０１は、カバー本体部５００の室外側に形成される。室外側延出部５０１は、平面視において、カバー本体部５００から縦枠１０の見込面１００に近づきながら室外側に向かって斜めに延出した後、縦枠１０の見込面１００に沿って室外側に延出している。この室外側延出部５０１の先端部が縦枠１０の第１縦枠側係合部１２１の内側に入り込み、樹脂製カバー５０の室外側が縦枠１０に係合される。なお、樹脂製カバー５０は、この建具１のように、直接的に縦枠１０に嵌合される場合に限られず、別部材を介して縦枠１０に固定される構成であってもよい。
【００２６】
室外側延出部５０１の傾斜部分と見込面１００に沿って延びる部分の間には、室内側に凹む室外側係合凹部５２０が形成される。室外側係合凹部５２０は、後述する樹脂製カバー５０を見込方向で複数連結する場合に使用される嵌合部である。
【００２７】
室内側係合突起部５０２は、カバー本体部５００の室内側に形成される。室内側係合突起部５０２は、カバー本体部５００から縦枠１０の見込面１００に向って見付方向で延出しており、その先端が鉤状に形成される。この建具１の例では、室内側係合突起部５０２の先端に位置する鉤状部分がアングル１６の嵌合部１６１に嵌合し、樹脂製カバー５０の室内側が縦枠１０にアングル１６を介して固定される。なお、室内側係合突起部５０２が縦枠１０に直接嵌合する構成であってもよい。
【００２８】
突出片５０５は、カバー本体部５００の室外側に形成される。突出片５０５は、平面視において、カバー本体部５００から縦枠１０の見込面１００に近づきながら室外側に向かって斜めに延出するヒレ状に形成される。突出片５０５は、閉鎖位置の外障子４０に向かって延出しており、押縁部材４２０の室内側見付面４２１に接触又は対向している。突出片５０５によって閉鎖位置における外障子４０と樹脂製カバー５０（縦枠１０）の間の隙間が塞がれる又は隙間が小さくなっている。
【００２９】
以上、説明したように、図１及び図２を参照した２枚建の建具１では、１つの樹脂製カバー５０によって縦枠１０の断熱部分を形成している。次に、図３及び図４を参照して３枚建の建具１ａの場合における樹脂製カバー５０の適用について説明する。
【００３０】
図３は、本発明の一実施形態に係る３枚建の建具１ａを模式的に示す平面図である。図４は、本実施形態の３枚建の建具１ａの縦枠１０ａに取り付けられた樹脂製カバー５０及びその周囲を示す拡大横断面図である。なお、以下の説明において、上述の２枚建の建具１で説明した構成と共通又は同様の構成ついては、同じ符号を付してその説明を省略する場合がある。
【００３１】
図３に示すように、建具１ａは、外障子４０、中間障子（第１内障子）６０ａ及び内障子（第２内障子）８０の３枚の障子を備える。外障子４０、中間障子６０ａ及び内障子８０は、見込方向に位置をずらして枠体２ａの内側にスライド移動可能に納められる。
【００３２】
３枚建の建具１ａでは、外障子４０、中間障子６０ａ及び内障子８０を保持するため、枠体２ａを構成する縦枠１０ａ及び下枠１１ａの見込方向の長さも大きくなる。
【００３３】
図４に示すように、縦枠１０ａの見込面１００には、室外側から室内側の順で延出片１１０、第１縦枠側係合部１２１、第２縦枠側係合部１２２、第３縦枠側係合部１２３が間隔をあけて形成される。第１縦枠側係合部１２１、第２縦枠側係合部１２２及び第３縦枠側係合部１２３は、何れも、縦枠１０ａの見込面１００から突出した後、見込方向室内側に屈曲するＬ字状に形成されている。縦枠１０ａの室内側の端部には、嵌合部１６１を有するアングル１６が配置されている。
【００３４】
本実施形態では、２枚建の建具１で用いた樹脂製カバー５０を見込方向で連結して２つ用いることにより、見込方向の幅が大きくなった縦枠１０ａの見込面１００をカバーしている。以下の説明において、閉鎖位置の外障子４０に近い位置にある樹脂製カバー５０を樹脂製カバー５０ａとし、この樹脂製カバー５０ａよりも相対的に室内側に位置する樹脂製カバー５０を樹脂製カバー５０ｂとして説明する。
【００３５】
樹脂製カバー５０ａは、その室外側延出部５０１が第１縦枠側係合部１２１に係合するとともに、その室内側係合突起部５０２が樹脂製カバー５０ｂの室外側係合凹部５２０に嵌合する。樹脂製カバー５０ａは、中間障子６０ａが係合されるレール１１２に重なる位置となる。
【００３６】
樹脂製カバー５０ｂは、その室外側延出部５０１が樹脂製カバー５０ａの裏側を通って第２縦枠側係合部１２２に係合するとともに、室内側係合突起部５０２がアングル１６の嵌合部１６１に嵌合する。樹脂製カバー５０ｂは、内障子８０が係合されるレール１１３に重なる位置となる。
【００３７】
以上説明したように、樹脂製カバー５０ａと樹脂製カバー５０ｂは、同じ形状の別部材であり、互いに嵌合した状態で縦枠１０ａの見込面１００に取り付けられることにより、断熱材として機能する。
【００３８】
上記実施形態によれば、以下のような効果を奏する。
本実施形態で説明した建具１（又は建具１ａ）は、枠体２（又は枠体２ａ）と、枠体２（又は枠体２ａ）の内側に見込方向で位置をずらして配置されるスライド移動可能な外障子４０及び内障子６０（又は外障子４０、中間障子６０ａ及び内障子８０）と、室外側に位置する外障子４０の戸先と対向する縦枠１０（又は縦枠１０ａ）と、閉鎖位置の外障子４０よりも見込方向室内側で縦枠１０（又は縦枠１０ａ）に固定される樹脂製カバー５０と、を備える。そして、樹脂製カバー５０は、見込方向室内側に形成される室内側係合突起部（室内側係合部）５０２と、見込方向室外側に室内側係合突起部５０２に係合可能な形状に形成される室外側係合凹部（室外側係合部）５２０と、を有する。同形状の樹脂製カバー５０ａ，５０ｂが見込方向で２つ以上連結可能に構成される。
【００３９】
これにより、室内側係合突起部（室内側係合部）５０２と室外側係合凹部（室外側係合部）５２０によって同じ形状の樹脂製カバー５０を見込方向で連結して使用できるので、２枚建の建具１と３枚建の建具１ａとで樹脂製カバー５０を共通化できる。より具体的には、２枚建の建具１では１つの樹脂製カバー５０を縦枠１０に取り付け、３枚建の建具１ａでは２つの樹脂製カバー５０ａ，５０ｂを見込方向で連結して縦枠１０ａに取り付ければよい。建具１，１ａの種類に応じて、異なる形状の樹脂製カバー５０を準備する必要がなくなり、製造コストを低減するとともに製造性を向上させることができる。
【００４０】
また、本実施形態では樹脂製カバー５０ａと樹脂製カバー５０ｂが互いの室内側係合突起部５０２と室外側係合凹部５２０を係合した状態で縦枠１０ａに取り付けられ、縦枠１０ａの見込面１００には、樹脂製カバー５０ａの室外側端部が固定される第１縦枠側係合部（第１固定部）１２１と樹脂製カバー５０ｂの室外側端部が固定される第２縦枠側係合部（第２固定部）１２２が見込方向で間隔を空けて形成される。
【００４１】
これにより、見込方向で複数連結される樹脂製カバー５０ａ，５０ｂを縦枠１０ａに容易に取り付けることができ、施工性もより向上させることができる。
【００４２】
上記実施形態では、本発明を適用する例として２枚建の場合に１つの樹脂製カバー５０を用いる場合と、３枚建の場合に樹脂製カバー５０を連結して２つ用いる場合を説明したが、この構成に限定されるわけではない。例えば、２枚建の場合において、枠体の見込方向の長さが大きい場合、２つの樹脂製カバー５０で対応することもできる。また、障子が４枚以上配置される構成にも適用できる。また、窓だけではなく、引違いドアにも適用できる。このように、本発明は、種々の建具に適用できる。
【符号の説明】
【００４３】
１，１ａ  建具
２，２ａ  枠体
１０，１０ａ  縦枠
４０  外障子
５０  樹脂製カバー
５０ａ  樹脂製カバー（第１の樹脂製カバー）
５０ｂ  樹脂製カバー（第２の樹脂製カバー）
６０  内障子（障子）
６０ａ  中間障子（障子）
８０  内障子（障子）
１２１  第１縦枠側係合部
１２２  第２縦枠側係合部
５０２  室内側係合突起部（室内側係合部）
５２０  室外側係合凹部（室外側係合部）
【図１】
2019178545.tif 000003
【図２】
2019178545.tif 000004
【図３】
2019178545.tif 000005
【図４】
2019178545.tif 000006